(57)【要約】【課題】本発明は陸上競技場や運動場、広場等、その他何処でも、簡単に敷設できる。またランニング選手のタイムアップに、絶大な効果を提供する。【解決手段】配線ダクトに、ＬＥＤ照明体を配線と共に装着して、競技場等のランニングコートラインの最内側の縁に沿って、敷設設置して、コントロールボックスにて制御された、走者速度に合わせた、ＬＥＤの輝きの移行速度を構成したランニング選手の練習用の速度ペースメーカーである。【選択図】図２
2012035020.tif 000002
【特許請求の範囲】
【請求項１】
連接構造の配線ダクト（１）に、着脱容易にＬＥＤ照明体（２）を取付て設ける、さらに該ダクト内部に、連結結線カプラ（３）設けた、制御配線体（４）を設け、これをＬＥＤ照明体（２）に該カプラにて結線して設ける、また該ダクトのスタート点側（５）に接続端子箱（６）を設け、これに制御配線体（４）を該カプラで結線して設ける、そしてさらにＬＥＤ照明体（２）の点滅回路を電子制御する、コントロールボックス（７）を、スタート点側（５）の近くに設け、これに接続端子箱（６）と該カプラで結線接続して設ける、最後に電源（８）をコントロールボックス（７）に接続する、このようにして構成された特徴より成る、競技用ペースメーカー。
【請求項２】
コントロールボックス（７）に、専用ソフト回路（９）およびマイクロＳＤ（１０）、ＣＤ（１２）の入出力端子（１１）を設けて、このマイクロＳＤ（１０）やＣＤ（１２）の記録媒体を利用して成る、請求項１記載の競技用ペースメーカー。
【発明の詳細な説明】
【技術分野】
【０００１】本発明は、陸上競技場等の走者用トラックに敷設して、タイム向上を目指す選手のトレーニングアシストツールとして使用する、その技術に関するものである。
【背景技術】
【０００２】最近のスポーツは、科学的トレーニングに基づいた練習が、増えている。また、短距離から長距離に於ける、ランニング選手の記録もまだまだ伸びると思うがやはり世界のトップランナーが、いつも身近にいる環境がほしいのである。その中で練習して自分のモチベーションを極限まで高め、体力的にも高いところまで持って行きたいと、選手ならば思っているのが現状である。
【発明の開示】
【発明が解決しようとする課題】
【０００３】現在、科学的トレーニングに基づいての筋力アップ方法やメンタルトレーニング等はいろいろあるが、ほとんどは室内のトレニングセンター等で行っており、特に実際の競技場や運動場での実践を兼ねた、陸上関係のトレーニングツールは無いに等しい。その中で特開平５−３１７４７５のごとく、水泳競技用の「プールのペースメーカー」が公開されている。これはプールの水泳コースに、発光体を一定間隔で配置し、泳者の移動と共に発光体の点滅も移動させる構成である。これは泳者のタイム意識の向上に繋がる良き利点があるが、水泳プールに浮いている発光体が波の影響で極端に動く欠点ももあり、なかなか実用化には至ってない。
本発明は、これらの課題を解決するために、なされたものである。
【課題を解決するための手段】
【０００４】まず出きる限りのシンプルな構成とする。以下、その解決手段構成を説明する。
競技場等の走者トラックの一番内側の縁（１３）に沿って、メートル単位で敷設する、接続連接構造の配線ダクト（１）に、着脱容易にＬＥＤ照明体（２）を取付けて設ける。さらに該ダクト内部に連結結線カプラ（３）を設けた、制御配線体（４）を設ける。そしてこれをＬＥＤ照明体（２）に該カプラにて結線して設ける。このように構成した、接続連接構造の配線ダクト（１）を制御配線体（４）の連結結線カプラ（３）で配線しながら。前記の一番内側の縁（１３）に沿って何百メートルにも連接して、敷設設置する。また該ダクトのスタート点側（５）に接続端子箱（６）を設け、これに連接配線で接続した、制御配線体（４）を該カプラで結線して設ける。そしてさらに、ＬＥＤ照明体（２）の点滅回路を電子制御する、コントロールボックス（７）をスタート点側（５）の近くに設け、これに接続端子箱（６）該カプラで結線接続して設ける。最後に電源（８）をコントロールボックス（７）に接続する。この電源はバッテリーや１００Ｖ電源（１４）で良い。【０００５】またコントロールボックス（７）に、専用ソフト回路（９）およびマイクロＳＤ（１０）、ＣＤ（１２）のの入出力端子（１１）を設けて、例へば、ウサイン・ボルトやドン・ジョンソンやカール・ルイス等、その他各種ランナーの記録を、分析解析した内容等をダウンロードされた、マイクロＳＤ（１０）やＣＤ（１２）の記録媒体を設けて利用するのも良い。
本発明はこのような構成および特徴からなる、競技用ペースメーカーである。
【発明の効果】
【０００６】本発明は、陸上競技場の走者トラックに沿って、簡単に敷設することができ施工と撤去も極めて簡単な工事で済む。
またランナーにとって、自分のレース記録向上のためにペースメーカーのＬＥＤ照明体（２）の移行点灯速度を変える事により、自分のランニング速度やペース配分等が理解出来、スタートからゴールまでのＬＥＤ移行点灯速度（ＬＥＤの輝きが走者と併走もしくは先行して、次々と点灯していく速度）に負けまいとする忍耐力や心理的モチベーションが、自然に体力強化と共に鍛錬される。また、世界記録タイムやトップランナーのペース配分等、その世界的ランナーおよび目標選手が一緒に練習しているような状況、環境に自分を置くことができる。
【発明を実施するための最良の形態】
【０００７】本構成は、誰でも簡単に取り扱いができ、敷設工事も簡単であり、さらに安全性を考慮した、出来る限りシンプルに形成されている。まず競技場やグランドの、走者トラックラインの一番内側の縁（１３）に沿って、メートル単位で敷設する、接続連接構造の配線ダクト（１）に、いつでも着脱容易に取替えできるＬＥＤ照明体（２）を取付けて設ける。更に該ダクト内部に、連結結線カプラ（３）を設けた制御配線体（４）を配設する。そしてこれをＬＥＤ照明体（２）に該カプラにて結線して設ける。このように構成した、接続連接構造の配線ダクト（１）を
2012035020.tif 000003
（１３）沿って、何百メートルにも連接して敷設設置する。また該ダクトのスタート点側（５）に、つまり一番先頭の配線ダクト（１）の先端に、接続端子箱（６）を設ける。これに連接配線で接続した制御配線体（４）とを、該カプラで結線して設ける。そしてさらに、ＬＥＤ照明体（２）の点滅回路を電子制御するコントロールボックス（７）をスタート点側（５）のちかくに設け、これに接続端子箱（６）と該カプラで結線接続して設ける。最後に電源（８）を、コントロールボックス（７）に接続する。この電源はバッテリーあるいは１００Ｖ電源を使用する。【０００８】またコントロールボックス（７）に專用ソフト回路（９）を設け、またマイクロＳＤ（１０）、ＣＤ（１２）の入出力端子（１１）を設ける。そして世界的ランナーあるいは目標ランナー等の記録を、分析解析した内容等をダウンロードされた、マイクロＳＤ（１０）やＣＤ（１２）の記録媒体を入出力端子（１１）より差込んで利用する。また本発明の高級機ではスタート光センサー、ゴール光センサーと感知連動するように構成されており、自動的なタイム検知での、記録のＯＮ−ＯＦＦが可能になる。
本発明はこのような構成および特徴からなり、これをコーチや選手自身が使用するときには、
【実施例】
【０００９】まずコントロールボックス（７）に電源を入れる。つぎにチャレンジ選手のランニングタイム目標値やペース配分値等を該ボックスの入力キーでタイムセットする。
あるいは準備した、マイクロＳＤ（１０）もしくはＣＤ（１２）を入出力端子（１１）に装填セットしても良い。そして１００ｍ、２００ｍ、４００ｍ、８００ｍ等を走るとすれば、それぞれのペース記録をセッティングして、選手がスタートすれば、ＬＥＤ照明体（２）もスタートからゴールに向けて、順次移行点灯していく。
この時、ＬＥＤ照明体（２）の色もスタート地点、中間地点、ゴール地点でいろいろ変化させる事もできる。このようにランニング練習が終わると、コントロールボックス（７）には、練習した記録結果等の選手のシュミレーションが保存される。
この記録は、マイクロＳＤチップやＣＤに、ファイルすることは容易である。
【図面の簡単な説明】
【００１０】
【図１】本発明の実施説明図である。
【図２】本発明の構成図である。
【図３】本発明の敷設設置説明図である。
【符号の説明】
【００１１】  １  配線ダクト
２  ＬＥＤ照明体
３  連結結線カプラ
４  制御配線体
５  スタート点側
６  接続端子箱
７  コントロールボックス
８  電源
９  専用ソフト回路
１０  マイクロＳＤ
１１  入出力端子
１２  ＣＤ
１３  一番内側の縁
【図１】
2012035020.tif 000004
【図２】
2012035020.tif 000005
【図３】
2012035020.tif 000006